(57)【要約】【課題】  既接続機器への電力供給を維持したままで新たな接続機器にも電力供給を行うことができるようにする。【解決手段】  電子機器（１０１）は、受電機器に電力供給が可能であり、接続時に受電機器と供給電力を交渉して決定する電子機器であって、電子機器の電源部は、供給可能な電力と一時的に供給可能な電力の２つ以上の出力電力を有し、機器が追加された際、受電機器の要求電力を許可した後、総供給電力を供給可能な電力内に再設定する。【選択図】  図１
2019192045.tif 000002
【特許請求の範囲】
【請求項１】
受電機器に電力供給が可能であり、接続時に前記受電機器と供給電力を交渉して決定する電子機器であって、
電子機器の電源部は、供給可能な電力と一時的に供給可能な電力の２つ以上の出力電力を有し、機器が追加された際、前記受電機器の要求電力を許可した後、総供給電力を供給可能な電力内に再設定する手段を有することを特徴とする電子機器。
【請求項２】
前記電子機器に新たな受電機器が追加された際に、すでに接続されている受電機器と新たな受電機器を含む複数の受電機器に対して許可する総電力が一時的に供給可能な電力を超えないようにすることを特徴とする請求項１に記載の電子機器。
【発明の詳細な説明】
【技術分野】
【０００１】
本発明は、電力供給機能を有する電子機器に関するものである。
【背景技術】
【０００２】
特許文献１には、複数の外部機器が接続される複数のポートを備える電子機器の空きポートの供給可能な電力容量が、電子機器の電力許容値を超える場合、未使用のポートの電源をオフする方法が記載されている。
【先行技術文献】
【特許文献】
【０００３】
【特許文献１】特開２０１０−１７６５３６号公報
【発明の概要】
【発明が解決しようとする課題】
【０００４】
しかしながら、複数のポートを有する給電機器では、実使用状態に関わらず、取り決め上の供給可能な電力を超えた場合には空きポートへの電源供給を止めるため、実際には供給可能な機器を使用できないという事態が想定される。このことから、後から追加接続する機器に実際は電力供給が可能であるかを判定し、供給可能な場合には、接続許可ができる方法が望まれている。
【０００５】
そこで、本発明は、既接続機器への電力供給を維持したままで新たな接続機器にも電力供給を行うことができるようにすることを目的とする。
【課題を解決するための手段】
【０００６】
本発明に係る電子機器は、受電機器に電力供給が可能であり、接続時に前記受電機器と供給電力を交渉して決定する電子機器であって、電子機器の電源部は、供給可能な電力と一時的に供給可能な電力の２つ以上の出力電力を有し、機器が追加された際、前記受電機器の要求電力を許可した後、総供給電力を供給可能な電力内に再設定する手段を有することを特徴とする。
【発明の効果】
【０００７】
本発明によれば、既接続機器への電力供給を維持したままで新たな接続機器にも電力供給を行うことができる。
【図面の簡単な説明】
【０００８】
【図１】実施形態１における電力供給システムの例を示す図である。
【図２】実施形態１における給電機器１０１の構成要素の一部を説明するためのブロック図である。
【図３】制御ＩＣ２０７で行われる電力測定処理の例を説明するためのフローチャートである。
【図４】制御ＩＣ２０７で行われる接続機器追加処理の例を説明するためのフローチャートである。
【発明を実施するための形態】
【０００９】
以下、図面を参照して実施形態を説明する。ただし、本発明は以下の実施形態に限定されるものではない。
【００１０】
［実施形態１］
図１は、実施形態１における電力供給システムの例を示す図である。実施形態１における電力供給システムは、ＵＳＢ（Ｕｎｉｖｅｒｓａｌ  Ｓｅｒｉａｌ  Ｂｕｓ）規格およびＵＳＢ  ＰＤ（Ｐｏｗｅｒ  Ｄｅｌｉｖｅｒｙ）規格に準拠した電力供給システムである。
【００１１】
図１において、１０１は給電機器（例：ノートＰＣ）、１０２は第１の受電機器（例：デジタルカメラ）、１０３は第２の受電機器（例：デジタルカメラ）である。第１の受電機器１０２は給電機器１０１にすでに接続されている受電機器（既接続機器）であり、第２の受電機器１０３は給電機器１０１に新たに接続されている受電機器（新たな接続機器）である。給電機器１０１、第１の受電機器１０２および第２の受電機器１０３はいずれも電子機器である。給電機器１０１、第１の受電機器１０２および第２の受電機器１０３はいずれもＵＳＢ規格およびＵＳＢ  ＰＤ規格に準拠する。
【００１２】
次に、図２を参照して、実施形態１における給電機器１０１の構成要素の一部を説明する。
【００１３】
図２において、２０１は一次側整流部、２０２はトランス、２０３は二次側整流部、２０４はスイッチング部、２０５はフォトカプラ、２０６は制御部である。また、２０７は制御ＩＣ、２０８は電力測定部、２０９はＤＣ／ＤＣコンバータ、２１０はＵＳＢＩ／Ｆコネクタであり、２１１は給電機器１０１へ外部から供給される商用電源である。図２において、給電機器１０１に外部から供給される商用電源２１１は一般的なＡＣ／ＤＣコンバータと同様に一次側整流部２０１、トランス２０２、二次側整流部２０３を経て出力される。出力制御はスイッチング部２０４、フォトカプラ２０５、制御部２０６で行う。
【００１４】
実施形態１では、連続的に使用してもトランス２０２が過度な温度上昇をしない２０Ｗを連続出力可能なスペックとした。また、トランス２０２の一定期間では問題のない温度上昇範囲となる２５Ｗ出力を一定時間出力可能なスペックとする。
【００１５】
例えば、トランス２０２温度上昇は飽和温度以内で使用することとし、２５Ｗ出力時１０分で飽和温度に達する場合には、半分の５分間を２５Ｗでの動作時間とする。この出力と時間はトランス２０２の選定、時間制限の取り方等で種々設定が可能な値である。給電機器１０１の電力は制御ＩＣ２０７で制御される。実施形態１では出力部のＵＳＢ  Ｉ／Ｆコネクタ２１０を３個備え、各々出力を変えるＤＣ／ＤＣコンバータ２０９を持ち、電力測定部２０８により、各々並びに総電力の測定を行う。
【００１６】
次に、図３のフローチャートを参照して、実施形態１の制御ＩＣ２０７で行われる電力測定処理の例を説明する。
【００１７】
ステップＳ３０１はＳＴＡＲＴ、ステップＳ３０２は機器接続検出、ステップＳ３０３は供給電力の決定、ステップＳ３０４は電力供給、ステップＳ３０５は電力測定、ステップＳ３０６はＥＮＤである。ステップＳ３０２で機器の接続を検出するとステップＳ３０３にて接続された機器への供給電力の決定を行う。決定の手順は給電機器１０１から接続された第１の受電機器１０２へ供給可能な電力を通知する。
【００１８】
実施形態１では２０Ｗを通知する。通知を受けた第１の受電機器１０２は必要な電力を要求する。ここでは１８Ｗを要求し、第１の受電機器１０２への供給電力を１８Ｗに決定する。ステップＳ３０４で電力の供給を開始する。電力供給を開始した後にステップＳ３０５で供給電力の測定を行い、終了する。
【００１９】
次に、図４のフローチャートを参照して、実施形態１の制御ＩＣ２０７で行われる接続機器追加処理の例を説明する。
【００２０】
ステップＳ４０１はＳＴＡＲＴ、ステップＳ４０２は機器追加の検出、ステップＳ４０３は接続可否の判定、ステップＳ４０４は接続許可、ステップＳ４０５は既接続機器への供給電力再設定、ステップＳ４０６、ステップＳ４０７は供給電力決定、ステップＳ４０８は電力供給開始、ステップＳ４０９はＥＮＤである。
【００２１】
ステップＳ４０２で機器の追加接続を検出するとステップＳ４０３にて供給可能総電力内での接続が可能かの判定を行う。既に第１の受電機器１０２と１８Ｗ供給をする接続許可をしているため、供給可能な電力は残り２Ｗとなる。追加接続をされた第２の受電機器１０３に対し、供給可能な電力を通知するが、第２の受電機器１０３は駆動に最大７Ｗの電力を必要とするカメラで、２Ｗでは駆動することができない。ステップＳ４０３で接続不可の判定をした後にステップＳ４０４で接続の許可を一定時間出力可能な電力２５Ｗを使って許可をする。
【００２２】
ステップＳ４０５にて、既に接続済みの第１の受電機器１０２への供給電力を再度設定し直す。ここでは、先述の電力測定結果から、第１の受電機器１０２が約束した１８Ｗに対し実際に供給している電力を測定し測定結果を用い、実情に沿った電力となるような交渉をデジタルカメラ１０２と行う。ステップＳ４０６で、実測値を例えば１０Ｗとし、第１の受電機器１０２への供給電力を１０Ｗに変更、第２の受電機器１０３には先に決めた７Ｗの１７Ｗを総供給電力として設定する。
【００２３】
ステップＳ４０３で供給可能な場合はステップＳ４０７で通常の手順で電力を決定しステップＳ４０８で電力供給を開始し、ステップＳ４０９で終了する。第１の受電機器１０２、第２の受電機器１０３への電力供給を開始した後に、各々機器の電力を継続して測定し、更に機器が追加された際の接続可否判定と許可を行う。
【００２４】
なお、本発明の実施形態は上述の実施形態１に限定されるものではない。発明の要旨を逸脱しない範囲で変更または修正された上述の実施形態１も本発明の実施形態に含まれる。
【符号の説明】
【００２５】
１０１  給電機器
１０２  第１の受電機器
１０３  第２の受電機器
【図１】
2019192045.tif 000003
【図２】
2019192045.tif 000004
【図３】
2019192045.tif 000005
【図４】
2019192045.tif 000006